(57)【要約】      （修正有）【課題】ハンドルを揺動アームに対して回転できるようにし、且つ運動中に使用者が腕と脚の運動抵抗力の大きさを調整することができ、信号発射部材をハンドルユニットに設置して受信部材を揺動アームに設置することで、ハンドルと揺動アームの枢着箇所、即ち回転箇所における電源配線のねじれや断裂の現象を回避する。【解決手段】手足複合運動器具の回転ハンドル構造は、左右揺動アーム２１，２２上端の軸接続部材に、別途可動性のハンドルユニット６を枢設し、ハンドルユニットの可動性により、左右揺動アームが往復直線運動を行なうとき、使用者の両腕の伸縮に伴い前記左右のハンドルユニットが自然に変化することができ、且つ、使用者はハンドルユニット上に設けたボタン８５，８６により赤外線信号を発射し、揺動アーム内に設置された赤外線受信機が前記信号を受信して、手足の運動の抵抗力の大きさを制御することができる。【選択図】図１
0003141437.tif 000002
【実用新案登録請求の範囲】
【請求項１】
手足複合運動器具の回転ハンドル構造であって、前記手足複合運動器具が、床面上に立設可能であり、内部に腕の運動抵抗システム及び脚の運動抵抗システムが設置されたマシン本体と、前記マシン本体の前端両側にそれぞれ設置され、使用者の足で施力して踏むために用いられる前記一対の左右ペダルユニットと、下端がそれぞれ前記マシン本体上の両側に枢設され、使用者が両手で施力して前後に揺動を行なうための一対の左右揺動アームと、前記左右揺動アーム上にそれぞれ回転可能に設置され、且つ制御ボタンが設けられた一対のハンドルユニットと、前記ハンドルユニットに設置された発射部材と、前記揺動アームに設置された受信部材を含み、この組立構造により、使用者が運動トレーニングを行なうとき、腕が外側と内側へ伸縮される際に前記ハンドルユニットが回転して人体工学に則した自然な運動ができるだけでなく、使用者が指で前記ハンドルユニットに設置されたボタンを制御し、前記発射部材が発射する信号が受信部材を介して受信され、腕の抵抗システムと脚の抵抗システムの抵抗力の大きさを変えることができることを特徴とする、手足複合運動器具の回転ハンドル構造。
【請求項２】
前記ハンドルユニットが、ハンドル座体とハンドル蓋体を含み、前記ハンドル座体は一端に折り曲げられたフランジが形成され、前記フランジから軸棒が延伸され、前記フランジはさらに穿孔及び固定孔が設けられると共に、前記ハンドル座体は他端にハンドルが延伸して設けられ、前記ハンドルは中空の内部空間を備え、前記ハンドルの内部空間にIC回路リモート制御ユニット及び直流電源を提供する電池を収容することができ、キャップで前記ハンドルの内部空間の外側端部が封鎖され、前記IC回路リモート制御ユニットは、末端に端子が接続された電源配線が接続され、且つ別途電源配線及びその末端に設置された赤外線発射部材を備え、前記赤外線発射部材が前記フランジ上に設けられた穿孔に位置決めされ、他方の電源配線の前記端子が前記ハンドル座体上に位置決めされたボタン制御板に設けた電源配線の端子に接続され、前記ボタン制御板の一側面に２つの独立したボタンが設置されると共に、前記ハンドル蓋体は２つの固定孔、貫通状のハンドル孔及び２つの相互に仕切られたボタンウィンドウを備え、前記ハンドル蓋体は前記ハンドル孔に前記ハンドルを穿通し、且つ前記ハンドル座体上に組み込まれ、ボルトをカバー蓋、固定孔に穿伸して前記ハンドル座体上に螺合し、別のボルトを固定孔に穿伸して前記フランジ上の固定孔に螺合して固定し、前記ボタンが前記ボタンウィンドウから露出され、同時に、前記ハンドル蓋体と前記ハンドル座体が緊密に固定されることを特徴とする、請求項１に記載の手足複合運動器具の回転ハンドル構造。
【請求項３】
前記左右揺動アームの上端に、横方向に延伸され、且つ内部空洞部を備えた軸接続部材が設けられ、前記軸接続部材の一端は端部キャップで封鎖することができ、前記の内部空洞部には、光反射板ワッシャ、光反射板及び配線阻隔リングを収容することができ、さらに前記ハンドル座体の軸棒が前記軸接続部材の内部空洞部に穿置され、これによりハンドルユニットは前記左右揺動アームに対して回転を行なうことができると共に、前記軸接続部材下方の前記左右揺動アームの内部空間に赤外線受信座体が設置され、前記赤外線受信座体上に赤外線受信部材が設けられることを特徴とする、請求項１に記載の手足複合運動器具の回転ハンドル構造。
【請求項４】
前記発射部材が、赤外線発射LEDとすることができる、請求項１または２に記載の手足複合運動器具の回転ハンドル構造。
【請求項５】
前記受信部材が、赤外線受信LEDとすることができる、請求項１または３に記載の手足複合運動器具の回転ハンドル構造。
【考案の詳細な説明】
【技術分野】
【０００１】
本考案は手足複合運動器具の回転ハンドル構造に関し、特に、使用者が両手で操作する左右揺動アームを備えた運動器具において、左右揺動アーム下端の固定点を軸として前後に往復する運動の軌跡を形成するほか、左右揺動アーム上端の軸接続部材に別途可動性のハンドルユニットを枢設し、ハンドルユニットの可動性により、左右揺動アームが往復直線運動を行なうとき、使用者の両腕の伸縮に伴い前記左右のハンドルユニットが自然に変化することができ、同時に、使用者はハンドルユニット上に設けたボタンにより赤外線信号を発射し、揺動アーム内に設置された赤外線受信機が前記信号を受信して手足の運動の抵抗力の大きさを制御することができ、運動人体工学に則しており、運動の快適感を備えているだけでなく、同時にハンドルユニットが回転動作をするとき、電源配線を利用して信号接続をした場合に発生する電源配線のねじれや断裂等を回避することができる、手足複合運動器具の回転ハンドル構造に関する。
【背景技術】
【０００２】
現在の手足部複合式運動器具は主に、マシン本体が設けられ、マシン本体の後端部近くにマシン本体両側に位置する左右の揺動アームが設置され、さらに前端部近くに左右のペダルユニットが設置されており、使用者はマシン本体上のシート及び背もたれを利用して騎乗し、両足で左右のペダルユニットを踏み、両手で揺動アーム上に形成されたハンドル部を握って使用する。但し、前記のハンドル部は回転せず、使用者が足踏み方式で脚の運動を行なう際、両手で揺動アームを前後に押し出しては引き戻すという直線式の往復動作を行ない、腕のトレーニング効果を得るものである。マシン本体内部には相互に独立した抵抗システム（即ち、負荷重量システム）が設置されているため、脚と腕の動作が共に充分なトレーニング効果を得ることができる。先行技術では、例えば米国特許第５５４２８９３号で開示されている運動器具において、前記ハンドルユニットのうちのハンドルが揺動アーム上で回転するようになっているが、前記ハンドルには使用者が運動を行うとき、同時に腕と脚の抵抗の大きさを調整する技術は設けられていない。米国公告第２００５/０２２７８２４号では、ハンドルの揺動アーム上における位置角度が調整できるものが開示されている。ハンドルが揺動アーム上で回転する関連技術は、米国特許第５１４５４７９号、第４９６１５６９号等の先行技術においても公開されている。しかしながら、それらのハンドルには使用者が運動を行うとき、同時に腕と脚の抵抗の大きさを調整する技術は設けられていない。また、本考案の考案者による米国公告第２００２００７７２２０号では、左右の揺動アーム上にスイッチを設け、抵抗力の大きさ或いは運動距離（stride length）を調整する技術が開示されているが、前記ハンドルと揺動アームは一体となっており、ハンドルを揺動アームに対して相対的に回転させることはできず、また同時に揺動アーム内部空間に設けた電源配線が絡まったり、断裂したりする現象について考慮されていない。
【特許文献１】米国特許第５５４２８９３号
【特許文献２】米国公告第２００５０２２７８２４号
【特許文献３】米国特許第５１４５４７９号
【特許文献４】米国特許第４９６１５６９号等
【特許文献５】米国公告第２００２００７７２２０号
【考案の開示】
【考案が解決しようとする課題】
【０００３】
本考案の目的は、手足複合運動器具の回転ハンドル構造に関し、特に、使用者が両手で操作する左右揺動アームを備えた運動器具において、左右揺動アーム下端の固定点を軸として前後に往復する運動の軌跡を形成するほか、左右揺動アーム上端の軸接続部材に別途可動性のハンドルユニットを枢設し、ハンドルユニットの可動性により、左右揺動アームが往復直線運動を行なうとき、使用者の両腕の伸縮に伴い前記左右のハンドルユニットが自然に変化することができ、同時に、使用者はハンドルユニット上に設けたボタンにより赤外線信号を発射し、揺動アーム内に設置された赤外線受信機が前記信号を受信して手足の運動の抵抗力の大きさを制御することができ、運動人体工学に則しており、運動の快適感を備えているだけでなく、同時にハンドルユニットが回転動作をするとき、電源配線を利用して信号接続をした場合に発生する電源配線のねじれや断裂等を回避することができる、手足複合運動器具の回転ハンドル構造を提供することにある。
【課題を解決するための手段】
【０００４】
本考案の手足複合運動器具の回転ハンドル構造は、前記手足複合運動器具が、床面上に立設可能であり、内部に腕の運動抵抗システム及び脚の運動抵抗システムが設置されたマシン本体と、前記マシン本体の前端両側にそれぞれ設置され、使用者の足で施力して踏むために用いられる前記一対の左右ペダルユニットと、下端がそれぞれ前記マシン本体上の両側に枢設され、使用者が両手で施力して前後に揺動を行なうための一対の左右揺動アームと、前記左右揺動アーム上にそれぞれ回転可能に設置され、且つ制御ボタンが設けられた一対のハンドルユニットと、前記ハンドルユニットに設置された発射部材と、前記揺動アームに設置された受信部材を含み、この組立構造により、使用者が運動トレーニングを行なうとき、腕が外側と内側へ伸縮される際に前記ハンドルユニットが回転して人体工学に則した自然な運動ができるだけでなく、使用者が指で前記ハンドルユニットに設置されたボタンを制御し、前記発射部材が発射する信号が受信部材を介して受信され、腕の抵抗システムと脚の抵抗システムの抵抗力の大きさを変えることができることを特徴とする。        
【考案を実施するための最良の形態】
【０００５】
図１に示すように、本考案の手足複合運動器具は、マシン本体１に左右揺動アーム２１、２２及び左右のペダルユニット３１、３２が設置され、マシン本体１内に使用者の運動時の腕と脚の抵抗システム及び関連する機械または電子設備が設置される（図示しない）。
【０００６】
使用者は左右の手で一方を前へ、他方を後ろへと交互に左右揺動アーム２１、２２を動かして運動を行なうが、腕の曲げ伸ばしは自然な運動模式であるため、本考案は可動式の揺動するハンドルユニット６を左右揺動アーム２１、２２上に設置することで、使用者が腕を外側へ伸ばす自然な動きの下、前記ハンドルユニット６が自然に動かされて外側へ開き、即ち、図８から図９のような状態に変わる。反対に、ハンドルユニット６はまた外側に開いた状態から自然に動かされて内側に入った状態を形成することもでき、即ち、図９から図８の状態に変わる。
【０００７】
図１から図４に示すように、本考案は左右揺動アーム２１、２２の両方に回転可能で構造が全く同じハンドルユニット６がそれぞれ設置される。ハンドルユニット６はハンドル座体６０を含み、前記ハンドル座体６０は一端に折り曲げられたフランジ６０１が形成され、このフランジ６０１から軸棒６１が延伸され、さらにこのフランジ６０１に別途穿孔６０２及び固定孔６０３が設けられると共に、前記ハンドル座体６０の他端はハンドル６２が垂直に延伸され、前記ハンドル６２には中空の内部空間６２１が形成される。前記のハンドル６２の内部空間６２１はIC回路リモート制御ユニット７及び直流電源を供給する電池６３、６４を収容することができ、キャップ６５でハンドル６２の内部空間６２１の外端部を封鎖する。前記のIC回路リモート制御ユニット７には電源配線７３が接続され、その末端に端子７４が接続されると共に、さらに別途電源配線７１及びその末端の赤外線発射部材７２が同時に設けられ、IC回路リモート制御ユニット７を内部空間６２１に組み込んだ後、前記電源配線７１が前記のハンドル座体６０上に位置決めされ、且つ、赤外線発射部材７２がフランジ６０１上に設けられた穿孔６０２に位置する。もう１つの電源配線７３の端子７４は、ボタン制御板８に設けた電源配線８３の端子８４に接続することができる。前記のボタン制御板８は前記のハンドル座体６０上に設置することができ、図３及び図４に示すように、前記ボタン制御板８の一側面に２つの独立したボタン８５、８６が設けられる。図５に示すように、ハンドル蓋体６６は２つの固定孔６６０、６６１、貫通したハンドル孔６６２及び２つの相互に仕切られたボタンウィンドウ６６３、６６４が形成され、前記ハンドル蓋体６６はハンドル孔６６２に前記のハンドル６２を穿通させた後、ハンドル座体６０上に組み込まれ、ボルト６６６をカバー蓋６６５、固定孔６６０に穿伸してハンドル座体６０上に螺合し、別のボルト６６７を固定孔６６１に穿伸して前記のフランジ６０１上の固定孔６０３に螺合すると、ボタン８５、８６がボタンウィンドウ６６３、６６４から露出され、同時にハンドル蓋体６６とハンドル座体６０を緊密に固定することができる。
【０００８】
右揺動アーム２２（左揺動アーム２１も同じ）の上端には、横方向に延伸され、且つ内部空洞部２００を備えた軸接続部材２０が設けられ、前記軸接続部材２０の一端は、端部キャップ２０１で封鎖することができ、前記の内部空洞部２００は、光反射板ワッシャ４１、光反射板５及び配線阻隔リング４２を収容することができる。前記のハンドル座体６０の軸棒が軸接続部材２０の内部空洞部２００に穿置され、これによりハンドルユニット６は揺動アーム２１、２２に対して回転を行なうことができる。軸接続部材２０下方の揺動アーム２１、２２の内部空間には赤外線受信座体９が設置され、前記赤外線受信座体９上に赤外線受信部材９１が設けられる。
【０００９】
図６及び図７に示すように、使用者が左右揺動アーム２１、２２を揺動させる運動段階で、腕の運動抵抗力を調整したい場合は、手の指でボタン８５またはボタン８６を制御して赤外線発射部材７３を駆動し、赤外線信号を発生させ、前記放射状の赤外線信号がデコーダICを経由して信号をマシン本体１内部に設置されたCPUに伝送する。これにより、腕と脚の運動抵抗システムの抵抗力を上げたり下げたりすることができる。同時に図１に示すように、例えば左揺動アーム２１のハンドル上のボタン８１を押すと腕の抵抗システムの抵抗力を上げることができ、逆にボタン８２を押すと腕の抵抗システムの抵抗力を下げられるようにすることができる。同じ機能で、右揺動アーム２２のハンドル上のボタン８５を押すと脚の抵抗システムの抵抗力を上げることができ、逆にボタン８６を押すと脚の抵抗システムの抵抗力を下げられるようにすることができる。
【００１０】
まとめると、本考案はハンドルを揺動アームに対して回転できるようにするだけでなく、運動中に使用者が随時指でハンドル上に設けたボタンを制御して腕と脚の運動抵抗力の大きさを調整することができる。また、信号発射部材をハンドルユニットに設置し、受信部材を揺動アームに設置することで、発射信号が光反射板を経由して受信部材の箇所へと反射され、ハンドルと揺動アームの枢着箇所、即ち回転箇所には電源配線が通っていないため、電源配線のねじれや断裂の現象が起きることがない。本考案は前記で示した従来技術とは異なり、新規性と進歩性を備えているため、ここに実用新案登録を出願するものである。
【図面の簡単な説明】
【００１１】
【図１】本考案の手足複合運動器具の立体外観図である。
【図２】本考案のハンドルユニット及び揺動アームの立体分解図である。
【図３】本考案のハンドルユニットの部分立体図である。
【図４】本考案のハンドルユニットの別の角度の部分立体図である。
【図５】本考案のハンドルユニットの組み立てを示す立体図である。
【図６】本考案の発射部材及び受信部材の設置を示す立体透視図である。
【図７】図６の側面断面図である。
【図８】本考案のハンドルユニットの回転動作を示す外観図１である。
【図９】本考案のハンドルユニットの回転動作を示す外観図２である。
【符号の説明】
【００１２】
１        マシン本体
２０      軸接続部材
２１      左揺動アーム
２２      右揺動アーム
２００    内部空洞部
２０１    端部キャップ
３１      左ペダルユニット
３２      右ペダルユニット
４１      光反射板ワッシャ
４２      配線阻隔リング
５        光反射板
６０      ハンドル座体
６        ハンドルユニット
６０１    フランジ
６０２    穿孔
６０３    固定孔
６１      軸棒
６２      ハンドル
６２１    内部空間
６３、６４    電池
６５      キャップ
６６      ハンドル蓋体
６６０、６６１    固定孔
６６２    ハンドル孔
６６３、６６４    ボタンウィンドウ
６６５    カバー蓋
６６６    ボルト
６６７    ボルト
７        IC回路リモート制御ユニット
７１、７３    電源配線
７２      赤外線発射部材
７４      端子
８        ボタン制御板
８１、８２    ボタン
８３      電源配線
８４      端子
８５、８６    ボタン
９        赤外線受信座体
９１      赤外線受信部材
【図１】
0003141437.tif 000003
【図２】
0003141437.tif 000004
【図３】
0003141437.tif 000005
【図４】
0003141437.tif 000006
【図５】
0003141437.tif 000007
【図６】
0003141437.tif 000008
【図７】
0003141437.tif 000009
【図８】
0003141437.tif 000010
【図９】
0003141437.tif 000011
【手続補正書】
【提出日】平成20年3月3日(2008.3.3)
【手続補正１】
【補正対象書類名】実用新案登録請求の範囲
【補正対象項目名】全文
【補正方法】変更
【補正の内容】
【実用新案登録請求の範囲】
【請求項１】
床面上に立設可能であり、内部に腕の運動抵抗システム及び脚の運動抵抗システムが設置されたマシン本体と、前記マシン本体の前端両側にそれぞれ設置され、使用者の足で施力して踏むために用いられる前記一対の左右ペダルユニットと、下端がそれぞれ前記マシン本体上の両側に枢設され、使用者が両手で施力して前後に揺動を行なうための一対の左右揺動アームとを有する手足複合運動器具の回転ハンドル構造であって、
前記左右揺動アーム上にそれぞれ回転可能に設置され、且つ制御ボタンが設けられた一対のハンドルユニットと、
前記ハンドルユニットに設置された発射部材と、
前記揺動アームに設置された受信部材を含み、
この組立構造により、使用者が運動トレーニングを行なうとき、腕が外側と内側へ伸縮される際に前記ハンドルユニットが回転して人体工学に則した自然な運動ができるだけでなく、使用者が指で前記ハンドルユニットに設置されたボタンを制御し、前記発射部材が発射する信号が受信部材を介して受信され、腕の抵抗システムと脚の抵抗システムの抵抗力の大きさを変えることができることを特徴とする、手足複合運動器具の回転ハンドル構造。
【請求項２】
前記ハンドルユニットが、ハンドル座体とハンドル蓋体を含み、前記ハンドル座体は一端に折り曲げられたフランジが形成され、前記フランジから軸棒が延伸され、前記フランジはさらに穿孔及び固定孔が設けられると共に、前記ハンドル座体は他端にハンドルが延伸して設けられ、前記ハンドルは中空の内部空間を備え、前記ハンドルの内部空間にIC回路リモート制御ユニット及び直流電源を提供する電池を収容することができ、キャップで前記ハンドルの内部空間の外側端部が封鎖され、前記IC回路リモート制御ユニットは、末端に端子が接続された電源配線が接続され、且つ別途電源配線及びその末端に設置された赤外線発射部材を備え、前記赤外線発射部材が前記フランジ上に設けられた穿孔に位置決めされ、他方の電源配線の前記端子が前記ハンドル座体上に位置決めされたボタン制御板に設けた電源配線の端子に接続され、前記ボタン制御板の一側面に２つの独立したボタンが設置されると共に、前記ハンドル蓋体は２つの固定孔、貫通状のハンドル孔及び２つの相互に仕切られたボタンウィンドウを備え、前記ハンドル蓋体は前記ハンドル孔に前記ハンドルを穿通し、且つ前記ハンドル座体上に組み込まれ、ボルトをカバー蓋、固定孔に穿伸して前記ハンドル座体上に螺合し、別のボルトを固定孔に穿伸して前記フランジ上の固定孔に螺合して固定し、前記ボタンが前記ボタンウィンドウから露出され、同時に、前記ハンドル蓋体と前記ハンドル座体が緊密に固定されることを特徴とする、請求項１に記載の手足複合運動器具の回転ハンドル構造。
【請求項３】
前記左右揺動アームの上端に、横方向に延伸され、且つ内部空洞部を備えた軸接続部材が設けられ、前記軸接続部材の一端は端部キャップで封鎖することができ、前記の内部空洞部には、光反射板ワッシャ、光反射板及び配線阻隔リングを収容することができ、さらに前記ハンドル座体の軸棒が前記軸接続部材の内部空洞部に穿置され、これによりハンドルユニットは前記左右揺動アームに対して回転を行なうことができると共に、前記軸接続部材下方の前記左右揺動アームの内部空間に赤外線受信座体が設置され、前記赤外線受信座体上に赤外線受信部材が設けられることを特徴とする、請求項１に記載の手足複合運動器具の回転ハンドル構造。
【請求項４】
前記発射部材が、赤外線発射LEDとすることができる、請求項１または２に記載の手足複合運動器具の回転ハンドル構造。
【請求項５】
前記受信部材が、赤外線受信LEDとすることができる、請求項１または３に記載の手足複合運動器具の回転ハンドル構造。